(57)【要約】【課題】製造工程と包装工程を一体として考えて、その全体の簡素化を進展させた石鹸包装品および石鹸包装品の製造方法を提供する。【解決手段】石鹸パック１は、包装容器３の収容部３０の中に固形状態の石鹸２が収容されて蓋部３１が閉じられている。固形状態の石鹸２は、収容部３０の中に流動状態の石鹸素地を流入して、そのまま固化することで製造される。したがって、石鹸を包装する容器を石鹸の成型の型として兼用することにより、石鹸の製造と包装とが総合的に簡素化される。【選択図】図２
2014095054.tif 000002
【特許請求の範囲】
【請求項１】
一方に開口が形成された形状を有して収容物を収容する収容部と、前記開口を閉鎖する蓋部と、を備えて前記収容物を包装する包装容器であって、前記収容部における収容物の収容領域の前記開口と平行方向の断面積は前記開口の面積以下である包装容器と、
前記開口を上方に配置して前記収容部に液体を流入した場合のその液体の外形と同じ外形を有する固形状態の石鹸であって、前記収容部の収容領域における前記開口の側以外の内壁に自身の表面が隙間無く接した状態で、前記収容部内に前記収容物として収容された固形状態の石鹸と、
を備えたことを特徴とする石鹸包装品。
【請求項２】
前記石鹸は、前記開口を上面とした場合の、前記収容部の側面側の内壁の少なくとも一部と、前記収容部の底面側の内壁の全てに、自身の表面が隙間無く接した状態で、前記収容部内に前記収容物として収容された請求項１に記載の石鹸包装品。
【請求項３】
前記包装容器の少なくとも一部は、前記収容部内に前記収容物として収容された固形状態の石鹸を外部から視認可能なように透明である請求項１又は２に記載の石鹸包装品。
【請求項４】
前記固形状態の石鹸は透明であり、その固形状態の石鹸の内部に、外部から視認可能な装飾品が配置されている請求項３に記載の石鹸包装品。
【請求項５】
前記装飾品はシート形状を有し、その１つの表面が吸盤が形成された吸盤面とされている請求項４に記載の石鹸包装品。
【請求項６】
前記装飾品はシート形状を有し、その１つの表面が鏡が形成された鏡面とされている請求項４又は５に記載の石鹸包装品。
【請求項７】
前記装飾品はシート形状を有し、その１つの表面が名刺または広告が表示された面とされている請求項４又は５に記載の石鹸包装品。
【請求項８】
前記包装容器には前記装飾品に対向する側に図柄が表示された表示面が形成され、前記装飾品の側から前記表示面が視認可能とされている請求項４ないし７のいずれか１項に記載の石鹸包装品。
【請求項９】
前記包装容器は、前記開口が板形状のシート部の一部に形成され、前記収容部は前記シート部の開口から一方に膨出するブリスター部として形成されたブリスター包装容器であり、
複数個のブリスター部が前記シート部に形成され、個々のブリスター部に、固形状態の石鹸が、前記ブリスター部の内壁に自身の表面が隙間無く接した状態で収容されている請求項１ないし８のいずれか１項に記載の石鹸包装品。
【請求項１０】
一方に開口が形成された形状を有して収容物を収容する収容部を備えた包装容器における前記収容部の内部に、前記開口から流動状態の石鹸素地を流入する流入工程と、
その流入工程によって前記包装容器内に流入された石鹸素地を前記包装容器内で固化することで、包装容器の前記収容部の収容領域における前記開口の側以外の内壁に自身の表面が隙間無く接した状態で前記包装容器内に収容された固形状態の石鹸を形成する固化工程と、
を備えたことを特徴とする石鹸包装品の製造方法。
【請求項１１】
一方に開口が形成された形状を有して収容物を収容する収容部を備えた包装容器における前記収容部の内部に、前記開口から流動状態の石鹸素地を流入する第１流入工程と、
その第１流入工程によって収容部内に流入された石鹸素地の上に、前記開口を通じて装飾品を載置する載置工程と、
その載置工程によりで装飾品が載置された石鹸素地の上に、前記開口から流動状態の石鹸素地を流入する流入する第２流入工程と、
少なくとも前記第１および第２流入工程によって前記包装容器内に流入された石鹸素地を含む石鹸素地を前記包装容器内で固化することで、包装容器の前記収容部の収容領域における前記開口の側以外の内壁に自身の表面が隙間無く接した状態で前記包装容器内に収容された固形状態の石鹸を形成する固化工程と、
を備えたことを特徴とする石鹸包装品の製造方法。
【発明の詳細な説明】
【技術分野】
【０００１】
本発明は、石鹸包装品および石鹸包装品の製造方法に関する。
【背景技術】
【０００２】
従来より石鹸の製造方法や包装形態に関して様々な改善案が提案されている。多種の石鹸のうちで、透明な石鹸の内部に装飾物を内包した形態の石鹸があるが、例えば下記特許文献１には、このような造形物を内包する石鹸を容易にかつ低コストに製造する製造方法が提案されている。また石鹸の包装形態に関しては、例えば下記特許文献２には、棒状の石鹸をプラスチック製の補強部材で長手方向に包み込むことで、表面および内部のカビを防止する棒石鹸の包装品が提案されている。
【先行技術文献】
【特許文献】
【０００３】
【特許文献１】特開平９−５３０９９号公報
【特許文献２】特許第４６８９８３４号公報
【発明の概要】
【発明が解決しようとする課題】
【０００４】
上記特許文献１の製造方法では、造形物を内包する流動状態の石鹸素地を、それぞれの組成を変えた２種類用意することにより、自然に造形物の上下方向が適切になると主張されている。したがって組成を変えるなどの手順があるので、特許文献１に記載された石鹸の製造方法は簡素な製造方法とは言い難い。一方、特許文献２に記載された包装形態も補強部材を要する等の点から見て、簡易な形態ではない。したがって、さらなる簡素化や低コスト化を実現する製造方法や包装形態の開発が望まれる。
【０００５】
さらに特許文献１では製造方法のみが考えられ、特許文献２では包装形態のみが考えられているように、従来技術では石鹸の製造工程と包装工程とのそれぞれに対して個別に改良が図られてきたと思われるが、製造工程と包装工程と一体化して考えることで従来よりも簡素化や低コスト化を進展させる方向性も考えられる。
【０００６】
上記特許文献１のような装飾品入りの石鹸の場合、装飾品入りであることが製造工程を複雑化させると従来から考えられてきたので、簡素化の効果が大きいと思われるが、装飾品入り石鹸でなくとも製造工程や包装工程の簡素化は大きな利点となると思われる。したがって本発明が製造工程や包装工程の簡素化の対象とする石鹸は、必ずしも装飾品入りの石鹸に限らず、それ以外のあらゆる石鹸を含むとする。
【０００７】
そこで本発明が解決しようとする課題は、上記に鑑み、製造工程と包装工程を一体として考えて、その全体の簡素化を進展させた石鹸包装品および石鹸包装品の製造方法を提供することにある。
【課題を解決するための手段】
【０００８】
上記課題を達成するために、本発明に係る石鹸包装品は、一方に開口が形成された形状を有して収容物を収容する収容部と、前記開口を閉鎖する蓋部と、を備えて前記収容物を包装する包装容器であって、前記収容部における収容物の収容領域の前記開口と平行方向の断面積は前記開口の面積以下である包装容器と、前記開口を上方に配置して前記収容部に液体を流入した場合のその液体の外形と同じ外形を有する固形状態の石鹸であって、前記収容部の収容領域における前記開口の側以外の内壁に自身の表面が隙間無く接した状態で、前記収容部内に前記収容物として収容された固形状態の石鹸と、を備えたことを特徴とする。上記のような石鹸であれば収容部に流動状態の石鹸素地を流入してそのまま固化することで簡易に形成できる。また収容物の収容領域の開口と平行方向の断面積は開口の面積以下であるので、収容部内の石鹸が開口から容易に取り出せる。したがって本発明の石鹸包装品は、石鹸を包装する容器を石鹸の成型の型として兼用することで、石鹸の製造と包装とを総合的に簡素化できるとの特徴を有する。
【０００９】
前記石鹸は、前記開口を上面とした場合の、前記収容部の側面側の内壁の少なくとも一部と、前記収容部の底面側の内壁の全てに、自身の表面が隙間無く接した状態で、前記収容部内に前記収容物として収容されたとしてもよい。このような石鹸であれば収容部に流動状態の石鹸素地を流入してそのまま固化することで簡易に形成できる。したがって本発明の石鹸包装品は、石鹸を包装する容器を石鹸の成型の型として兼用することで、石鹸の製造と包装とを総合的に簡素化できる。
【００１０】
また前記包装容器の少なくとも一部は、前記収容部内に前記収容物として収容された固形状態の石鹸を外部から視認可能なように透明であるとしてもよい。これにより、透明な容器を石鹸を包装する容器としつつ、石鹸の成型の型としても兼用することで、石鹸の製造と包装とを総合的に簡素化できる。
【００１１】
また前記固形状態の石鹸は透明であり、その固形状態の石鹸の内部に、外部から視認可能な装飾品が配置されているとしてもよい。これにより、透明な容器を装飾品入り石鹸を包装する容器としつつ、その容器の中を装飾品入り石鹸の成型の型としても兼用することで、石鹸の製造と包装とを総合的に簡素化できる。
【００１２】
また前記装飾品はシート形状を有し、その１つの表面が吸盤が形成された吸盤面とされているとしてもよい。これにより、ユーザが石鹸使用後に取り出された装飾品を吸盤面の吸着性能を用いていろいろな所に吸着させるという従来にない高い娯楽性を有する石鹸包装品が実現できる。
【００１３】
前記装飾品はシート形状を有し、その１つの表面が鏡が形成された鏡面とされているとしてもよい。これにより、ユーザが石鹸使用後に取り出された装飾品を例えば携帯型の鏡として用いるという従来にない高い娯楽性を有する石鹸包装品が実現できる。
【００１４】
前記装飾品はシート形状を有し、その１つの表面が名刺または広告が表示された面とされているとしてもよい。これにより、石鹸の使用中に常に名刺や広告として機能するという従来にない使用形態を有する石鹸包装品が実現できる。
【００１５】
前記包装容器は、前記装飾品に対向する側に図柄が表示された表示面が形成され、前記装飾品の側から前記表示面が視認可能とされているとしてもよい。これにより、石鹸内部の装飾品と包装容器の図柄とが組み合わせられて、例えば立体的な視覚印象を与えることができる。
【００１６】
また前記包装容器は、前記開口が板形状のシート部の一部に形成され、前記収容部は前記シート部の開口から一方に膨出するブリスター部として形成されたブリスター包装容器であり、複数個のブリスター部が前記シート部に形成され、個々のブリスター部に、固形状態の石鹸が、前記ブリスター部の内壁に自身の表面が隙間無く接した状態で収容されているとしてもよい。これにより広く用いられているブリスター形の容器を用い、容器の中を装飾品入り石鹸の成型の型としても兼用することで、石鹸の製造と包装とを総合的に簡素化できる。
【００１７】
また本発明に係る石鹸包装品の製造方法は、一方に開口が形成された形状を有して収容物を収容する収容部を備えた包装容器における前記収容部の内部に、前記開口から流動状態の石鹸素地を流入する流入工程と、その流入工程によって前記包装容器内に流入された石鹸素地を前記包装容器内で固化することで、包装容器の前記収容部の収容領域における前記開口の側以外の内壁に自身の表面が隙間無く接した状態で前記包装容器内に収容された固形状態の石鹸を形成する固化工程と、を備えたことを特徴とする。この製造方法により、石鹸を包装する容器を石鹸の成型の型として兼用することで、石鹸の製造と包装とを総合的に簡素化できる。
【００１８】
また本発明に係る石鹸包装品の製造方法は、一方に開口が形成された形状を有して収容物を収容する収容部を備えた包装容器における前記収容部の内部に、前記開口から流動状態の石鹸素地を流入する第１流入工程と、その第１流入工程によって収容部内に流入された石鹸素地の上に、前記開口を通じて装飾品を載置する載置工程と、その載置工程によりで装飾品が載置された石鹸素地の上に、前記開口から流動状態の石鹸素地を流入する流入する第２流入工程と、少なくとも前記第１および第２流入工程によって前記包装容器内に流入された石鹸素地を含む石鹸素地を前記包装容器内で固化することで、包装容器の前記収容部の収容領域における前記開口の側以外の内壁に自身の表面が隙間無く接した状態で前記包装容器内に収容された固形状態の石鹸を形成する固化工程と、を備えたことを特徴とする。この製造方法により、石鹸を包装する容器を石鹸の成型の型として兼用するとともに、型のなかに順次、石鹸素地の一部と装飾物を流入あるいは載置するのみの製造手順とすることにより、装飾物入りの石鹸の製造と包装とを総合的に簡素化できる。
【図面の簡単な説明】
【００１９】
【図１】本発明の石鹸包装品の第１の実施形態を示す斜視図。
【図２】図１の石鹸包装品において蓋部を閉じた状態を示す図。
【図３】図２のＡ−Ａ断面図。
【図４】図１の石鹸包装品の平面図。
【図５】石鹸包装品の製造工程の第１の例を示すフローチャート。
【図６】本発明の石鹸包装品の第２の実施形態を示す斜視図。
【図７】石鹸包装品の製造工程の第２の例を示すフローチャート。
【図８】本発明の石鹸包装品の第１の変形例を示す図。
【図９】本発明の石鹸包装品の第２の変形例を示す図。
【図１０】本発明の石鹸包装品の第３の変形例を示す図。
【図１１】図１０のＢ−Ｂ断面図。
【図１２】本発明の石鹸包装品の第４の変形例を示す図。
【図１３】本発明の石鹸包装品の第５の変形例を示す図。
【図１４】本発明の石鹸包装品の第６の変形例を示す図。
【図１５】本発明の石鹸包装品の第７の変形例を示す図。
【図１６】装飾品の第１の変形例を示す図。
【図１７】装飾品の第１の変形例を示す図。
【図１８】装飾品の第１の変形例を示す図。
【図１９】本発明の石鹸包装品の第８の変形例を示す図。
【図２０】図１９の石鹸包装品における正面図の例を示す図。
【図２１】図１９の石鹸包装品における背面図の例を示す図。
【発明を実施するための形態】
【００２０】
以下、本発明の実施形態を図面を参照しつつ説明する。まず図１、図２は、本発明の石鹸パック１（石鹸包装品）の実施例１における斜視図である。
【００２１】
石鹸パック１は、石鹸２と包装容器３とからなる。包装容器３は、主に収容部３０と蓋部３１からなる。図１は蓋部３１を開いた状態、図２は蓋部３１を閉じた状態を示す。そして図３は、図２のＡ−Ａ断面図であり、図４は石鹸パック１の平面図である。
【００２２】
収容部３０は本発明の主要な特徴として、最終的な販売時の形態において石鹸を収容する部分であるとともに、流動状態の石鹸素地を入れて固化して成形する部分でもある。図１等の例では、図示上部に開口３２を有する略直方体形状の収容領域を備え、開口の周囲に鍔部３３が形成されている。蓋部３１には係合凸部３４が形成されており、図２のように蓋部３１を閉じた場合には、図３に示すとおり係合凸部３４が開口３２と凹凸嵌合して、蓋部３１の閉鎖が安定化される。
【００２３】
石鹸２は図１などでは固形状態で収容部３０の内部に収容されている。後述するように石鹸２は収容部３０の内部で個化され、収容部３０内の収容可能領域のうちで図示下方の領域に石鹸２は収容されている。したがって当然、図１等における固形状態の石鹸２の外形は、収容部の開口３２を上方に配置して収容部３０内に任意の液体（流動物）を流入した場合のその液体（流動物）の外形と同じである。そして石鹸２の表面は収容部３０の内壁と隙間無く接している。
【００２４】
図１の包装容器３は透明な材質（例えば透明な樹脂など）で形成されているとすればよい。これにより石鹸２を包装容器３の外部から視認することができる。包装容器３は蓋部３１も含めて全体を透明な材質で形成すればよいので、図４のように蓋部３１の方からも石鹸２が視認される。
【００２５】
図１等に示すとおり、包装容器３は表示部３５を備える。表示部３５は、例えば石鹸パック１の商品名や図柄、さらには成分表示、製造年月日、注意事項を表示する部分である。図１等の場合、表示部３５は四角形状の例えば紙製の表示部であり、印刷により上記内容が例えば印刷により表示されて、包装容器の所定の箇所に貼付される。本発明の表示部３５の大きさ、形状、表示内容は図１の形態には限定されず任意でよい。
【００２６】
また表示部３５のの配置位置は図１等に示された箇所には限定されず、包装容器３の外側表面におけるユーザから視認される箇所であればよい。さらに表示部３５は別に作成したものを貼付する形態ではなく、例えば包装容器３の表面に直接印刷する形態でもよい。あるいは本発明では包装容器３に表示部３０を備えない形態として、包装容器３をさらに別の包装部材（包装袋など）のなかに収容して、その包装部材に表示部を設けるとしてもよい。
【００２７】
包装容器３の材質は例えばＰＥＴ（ポリエチレンテレフタレート）やＰＶＣ（ポリ塩化ビニール）等、従来からパッケージの材質として用いられているものであればよい。ただし後述するように、流動状態の石鹸素地の温度に対する耐熱性を有することが条件となる。ＰＥＴやＰＶＣはこの条件を満たす。包装容器３として既存の（市販の）ブリスターパックを用いてもよい。図１の石鹸パック１は、図２に示されたように蓋部３１によって開口３２が閉鎖された状態で（あるいはさらに上から包装袋などで包装された状態で）、流通、販売すればよい。
【００２８】
図１の石鹸パック１の製造方法の例が図５に示されている。この製造工程は製造者が手作業で行ってもよく、機械による自動的な製造工程としてもよい。
【００２９】
まず手順Ｓ１０で、包装容器３を例えば図１等に示された形状に樹脂の射出成形によって作成する。あるいはＳ１０は省略して、市販のブリスターパックを使用するとしてもよい。
【００３０】
次にＳ２０で石鹸素地を作成する。この手順では、従来からある石鹸素地（流動状態）を従来技術によって作成すればよい。石鹸素地の配合成分や製造方法に関して本実施例には何ら限定はなく、（例えば上記特許文献１を含む）あらゆる従来技術における石鹸素地の配合成分や製造方法でよい。なお石鹸素地（石鹸２）を例えば植物性石鹸としてもよい。
【００３１】
続くＳ３０では、Ｓ２０で作成された流動状態の石鹸素地を、Ｓ１０で作成された包装容器３の収容部３０の内部に流入する。この手順のために、包装容器３は石鹸素地の温度に対する耐熱性を備えるようにする。例えば従来技術により作成された石鹸素地（流動状態）は通常摂氏８０度から９０度程度となるので、包装容器３は摂氏８０度から９０度程度に対する耐熱性を備えればい。
【００３２】
既存の（あるいは市販の）ブリスターパックならば、この程度の耐熱性を有するので好適である。あるいはＳ３０では、使用する包装容器３が耐熱性を有する温度まで石鹸素地の温度が下がるのを待つ工程を加えてもよい。
【００３３】
そしてＳ６０で、収容部３０の内部に収容された石鹸素地を冷却、固化する。この冷却処理は自然冷却でも、冷却（冷蔵）手段を用いた強制冷却でもよい。次にＳ７０で、固化された石鹸を収容した収容部３０の開口３２を蓋部３１によって閉鎖する。この手順では、付加的な閉鎖手段（粘着シールやステープル等）を用いて閉鎖をより確実にしてもよい。
【００３４】
そしてＳ８０で、例えば図１等に示された位置に、別に作成した表示部３５を貼付する。以上が図１に示す石鹸パック１の製造手順の例である。以上の手順により、販売時に石鹸を包装する容器を石鹸の成型の型として兼用することで、石鹸の製造と包装とを総合的に簡素化できる。
【００３５】
次に実施例２を説明する。実施例２では石鹸２の内部に、石鹸２の商品価値を高める装飾品（装飾物）を配置する。その例が図６に示されている。図６の例では、透明の石鹸２のなかに表示シート４が配置されている。
【００３６】
表示シート４は、絵、図柄、文字、数字など、さらにはこれらの組み合わせが表示されたシートである。表示内容の例としては、人気があるキャラクター、動物、人物、風景などがあり、これらを例えば印刷により表示する。表示シート４の表面側、裏面側、あるいはその両方にそれらを表示すればよい。
【００３７】
図６の形態において、図示上下のどちらを表示シート４の表面側としてもよい。表示シート４の材質は、例えばコート紙やコラーゲンフィルムなどでよい。コート紙の場合は石鹸使用後も表示シート４は残る。コラーゲンフィルムの場合は水に溶ける性質を有するので、石鹸の使用につれて石鹸がなくなった部分の表示シート４も溶解してなくなる。
【００３８】
表示シート４は裏に剥離紙が貼り付けられたシールとしてもよい。この場合、石鹸使用後に残った表示シート４から剥離紙を剥離して任意の場所に表示シートを貼付することができる。また表示シート４はアイロン転写シートとしてもよい。この場合、石鹸使用後に残った表示シート４に表示された表示内容を、アイロンによって例えば服などに転写できる。
【００３９】
あるいは表示シート４はタトゥ転写シート（およびその裏に粘着剤シートを貼付けたシート）としてもよい。この場合、石鹸使用後に残った表示シート４から粘着剤シートを剥離して皮膚の表面に貼り付けて濡らす等の処理を行うことにより、表示シート４の表示内容が皮膚にフェイクタトゥとして転写できる。
【００４０】
図６の場合、表示シート４が外から視認できるように石鹸２は透明石鹸とする。その際、無色透明でも有色透明でもよい。ただし有色透明の場合、色の濃度は表示シート４の視認を阻害しない程度の濃度とすればよい。
【００４１】
図６の石鹸パック１ａの製造方法の例が図７に示されている。図７の手順のうちで図５と同符号の処理は上記と同じ処理を行えばよいので、重複する説明は省略する。なお図７のＳ２０では透明石鹸の石鹸素地を作成する。本実施例では透明石鹸の石鹸素地の配合成分や製造方法に何ら限定はなく、従来技術によるあらゆる透明石鹸の石鹸素地の配合成分や製造方法でよい。
【００４２】
図７の製造工程では手順Ｓ３５で、流動状態の石鹸素地を、石鹸パック１ａの完成時の形態において表示シートを配置したい高さ（つまり、例えば図６に示された表示シートの高さ）まで流入する。これにより収容部３０に収容された流動状態の石鹸素地の上面は、自然に平面状になる。表示シート４を完成時の石鹸の中央に配置する場合、Ｓ３５で流入する石鹸素地は全体の半分となる。
【００４３】
続くＳ４０で、Ｓ３５で収容部３０内に収容された石鹸素地の上面に表示シート４を載置する。石鹸素地が持つ粘性により、載置された表示シート４は石鹸素地内に沈まず、石鹸素地の上面の上に載置された状態のままとなる。なおＳ３５で流入した石鹸素地が固まらない（流動状態のままの）うちにＳ４０（および後述のＳ５０）を実行する。
【００４４】
そしてＳ５０で、上記Ｓ３５、Ｓ４０により収容部３０内に収容された石鹸素地および表示シート４の上から、残りの石鹸素地を流入する。表示シート４を完成時の石鹸の中央に配置する場合、Ｓ５０で流入する石鹸素地は残りの半分となる。
【００４５】
以上の工程の後、図５と同じＳ６０からＳ８０を処理することにより、例えば図６の石鹸パック１ａが完成する。以上が図７の処理手順である。この実施例で表示シート４は他の装飾品に変更してもよい。以上の製造手順により、販売時に石鹸を包装する容器を石鹸の成型の型として兼用するとともに、型のなかに順次、石鹸素地の一部と表示シート（あるいは他の装飾品）を流入あるいは載置するのみの製造手順とすることにより、表示シート（あるいは他の装飾品）入りの石鹸の製造と包装とを総合的に簡素化できる。
【００４６】
本発明は上記実施例に限定されず、様々な変形が可能であるので以下で説明する。まず本発明では、石鹸２内に配置する表示シートの数は１に限定されない。図８には２枚の表示シートの場合の例が示されている。この場合、表示シート４ａには図８の図示上側の面に絵や図柄を表示し、表示シート４ｂには図８の図示下側の面に絵や図柄を表示してもよい。そのようにすれば、ユーザは表示シート４ａ、４ｂのそれぞれの表示内容がどちらの側からも視認できる。
【００４７】
なお図８の側面図に示すとおり、表示シート４ａ、４ｂの端は収容部３０の内壁には到達していない。すなわち上方から見た場合、表示シート４ａ、４ｂの四方に石鹸２が存在する。これは図１の場合も同様とすればよく、図１において石鹸パック１を上方から見た場合の表示シート４の周囲にも石鹸が存在する。
【００４８】
この部分の石鹸が、表示シート４（、４ａ、４ｂ）の上下部分の石鹸２を一体化させる効果を奏する（逆に、表示シートの端が包装容器３の内壁まで達しており、表示シートの側方に石鹸がなければ、表示シートの所で石鹸が割れやすい場合がある）。なお表示シート４の四方全てに石鹸がなくともよく、表示シート４の側方の一部に石鹸があるとしてもよい。
【００４９】
図８の石鹸パックの製造方法は、まず表示シート４ｂを配置したい高さまで石鹸素地（流動状態）を流入し、次にその上に表示シート４ｂを載置し、そして表示シート４ａを配置したい高さまで石鹸素地を流入し、次にその上に表示シート４ａを載置し、最後に残りの石鹸素地を流入する。
【００５０】
また本発明では、石鹸２内に配置する装飾品は表示シートあるいは他のシート状の装飾品に限定されない。図９には立体形状の装飾品５ａ、５ｂを石鹸２内に配置した例が示されている。この場合も、上方から見た場合の装飾品５ａ、５ｂの周囲に石鹸が存在すれば装飾品の上下の石鹸は十分に一体化される。この製造方法では、装飾品５ａ、５ｂを配置したい高さまでまず石鹸素地を流入し、次にその上に装飾品５ａ、５ｂを載置し、さらに石鹸素地を流入すればよい。
【００５１】
また上記実施例では１個の収容部３０を備えた石鹸パックの例を示したが、本発明では収容部の数を複数にしてもよい。その例が図１０、図１１に示されている。この例の包装容器は、開口部３２ａ，３２ｂ，３２ｃ，３２ｄ，３２ｅ，３２ｆを有する６個の収容部（ブリスター部）が縦横方向に整列して配置されたブリスターパックとなっている。
【００５２】
そしてそれぞれのブリスター部の中に表示シート４ａ，４ｂ，４ｃ，４ｄ，４ｅ，４ｆが配置されている。こうした形態の場合、例えば石鹸に入った１群のキャラクターが並んだ状態の商品が作成できる。上記と同様の製造手順により、図１０の場合、６個の石鹸を同時に簡易な方法で作成できる。
【００５３】
上記実施例では収容部３０の形状は略直方体としたが、本発明はこれに限定されず、それとは異なる形状の収容部３０でもよい。図１２にはその一例が示されている。図１２の場合、収容部３０ａの底の形状が曲面形状となっている。本発明では、収容部３０ａの形状は何ら限定されず任意の形状でよい。
【００５４】
また上記実施例では表示シートを平面的に石鹸２内に配置したが、本発明はこれに限定されない。図１３にはその一例が示されている。図１３の場合、図１２のような収容部３０ａの曲面形状に沿って、表示シート４が湾曲して配置されている。本発明では表示シートなどのようにシート状の装飾品を石鹸内に配置する場合、湾曲や屈曲のように任意の形状に変形して配置してよい。また収容部の底面に対して傾斜させたり、底面と直交する方向に配置する等、任意の向きで配置してよい。立体形状の装飾品の場合も同様で、底面に対して傾斜させたり、直交させたり等、任意の向きで配置してよい。
【００５５】
上記実施例における包装容器３は収容部３０と蓋部３１とを一体とした形態だが、本発明はこれに限定されず、図１４に示すように蓋部３１ａが収容部３０ｂと別体の形態でもよい。また上記実施例の包装容器３は嵌合タイプの容器だが、本発明はこれに限定されない。例えば図１５に示すように、収容部３０ｃに対して蓋部３１ｂがスライドするスライドタイプの包装容器などでもよい。以上のように本発明では、包装容器の形状、タイプなどは任意でよい。
【００５６】
表示シート４の形態は上記のものに限定されない。図１６から図１８には表示シートの別の例が示されている。図１６の表示シート４ａは吸盤シートの構造を有する。つまり表示シート４ａは図示上側から、剥離フィルム層４０、吸盤層４１、基材層４２を有する積層構造を備える。図１６の上下関係は図１５などの上下関係と対応するとすればよい。剥離フィルム層４２は吸盤層４１のミクロ吸盤を保護する。吸盤層４１は表面にミクロ吸盤が形成されており、このミクロ吸盤が吸着作用を有する。基材層４０は例えばコート紙や樹脂フィルムなどからなり、図示下側の表面に図柄などが印刷されている。
【００５７】
吸盤層４１は例えば、空気を吹き込んで内部に多数の微小な（例えば数百ミクロン程度）気泡４１ａが形成された液状のアクリルを基材層４０に塗布して固化することで形成すればよい。気泡４１ａのうちで吸盤層４１の表面（図示上側の面）に位置するものが微小な凹部４１ｂとなり、これにより吸盤面が構成される。基材４０を貼り付けたい対象に吸盤層４１を押し付ける際に凹部４１ｂに発生する負圧により、吸盤層４１が接着剤なしで吸着作用を備えることとなる。この吸着能力は、接着と異なり、貼付け（吸着）を何度繰り返しても低下せず、貼付け対象に接着剤が残ることもない。使用者は、石鹸２の使用後に取り出された表示シート４ａを、所望の場所に繰り返し吸着させることができる。
【００５８】
図１７の表示シート４ｂは、図示下側の面を鏡面４３とした例である。鏡面４３は例えばコート紙などの表面に金属製の膜を形成する等により形成すればよい。使用者は、石鹸２の使用後に取り出された表示シート４ｂを、例えば手帳や財布などに入れて携帯型の鏡として使用することができる。あるいは鏡面４３を図１６の基材層４２の表面に形成してもよい。この場合、使用者は石鹸２の使用後に取り出された表示シート４ｂを、例えば携帯電話機などに吸着させて携帯型の鏡として使用することができる。
【００５９】
図１８の表示シート４ｃは、図柄の表示でなく名刺を表示（印刷）した例である。石鹸２、包装容器３は透明として、名刺表示面４４が包装容器３の外部から視認できるようにすればよい。この石鹸パックを名刺として差し出すことにより、非常にユニークな名刺が実現できる。この形態ならば、石鹸の使用中に常に名刺として機能するので、石鹸の使用者に名前を記憶してもらえる等の望ましい効果が実現できる。あるいは、この名刺面を例えば会社の広告を表示する面としてもよい。この場合も、石鹸の使用中に常に広告として機能するので、石鹸の使用者に対して高い広告効果を実現できる。もちろん表示シート４ｃを石鹸使用後も残る材質で形成すれば、石鹸使用後も名刺や広告として機能する。
【００６０】
本発明は、石鹸２内部の表示シートのみでなく、包装容器３にも表示部（表示面）を設ける形態でもよい。図１９から図２１にその例が示されている。これらの図に示された石鹸パック１ｅは、石鹸２内部に表示シート４を備えるとともに、包装容器３に表示シート５を貼り付けた構造を有する。具体的に表示シート５は、包装容器３の係合凹部３４の外側表面に貼り付けられている。
【００６１】
表示シート５における包装容器３の内側に向いた面は図柄表示面５０とされ、包装容器３の外側に向いた面は説明表示面５１とされている。また表示シート４の表示シート５に対向する面の裏面が図柄表示面４５とされている。そして表示シート４の大きさを表示シート５の大きさよりも小さくするか、表示シート４の一部を透明に形成する等とすればよい。すなわち包装容器３は、表示シート４（装飾品）に対向する側に図柄が表示された表示面が形成され、表示シート４の側からその表示面が視認可能とされている。
【００６２】
これにより、図２０に示すとおり、石鹸パック１ｅを図柄表示面４５から見た場合、図柄表示面４５の奥に図柄表示面５０が視認されることとなって、例えば立体的な視覚印象が与えられる。またその逆側から石鹸パック１ｅを見た場合、図２１に示すとおり、説明表示面５１に表示された製品名や、成分、注意事項などを読むことができる。以上の通り、表示シート５は、石鹸２内の表示シート４と組み合わさって例えば立体的な図柄を構成する効果と、製品に関する説明を表示する効果と、を効果的に実現する。
【００６３】
以上説明した実施形態は特許請求の範囲に記載された趣旨の範囲内で任意に変更してよい。また上記実施例および変形例は任意に組み合わせて実施すればよい。例えば石鹸使用後に内部の表示シート（あるいは装飾品）を残したい場合、および溶解させたい場合それぞれの表示シート（あるいは装飾品）の材質は、上記のコート紙、コラーゲンに限定されず、他のあらゆる水溶性を有しない材質、水溶性を有する材質でよい。
【符号の説明】
【００６４】
１    石鹸パック（石鹸包装品）
２    石鹸
３    包装容器
４    表示シート（装飾品）
【図１】
2014095054.tif 000003
【図２】
2014095054.tif 000004
【図３】
2014095054.tif 000005
【図４】
2014095054.tif 000006
【図５】
2014095054.tif 000007
【図６】
2014095054.tif 000008
【図７】
2014095054.tif 000009
【図８】
2014095054.tif 000010
【図９】
2014095054.tif 000011
【図１０】
2014095054.tif 000012
【図１１】
2014095054.tif 000013
【図１２】
2014095054.tif 000014
【図１３】
2014095054.tif 000015
【図１４】
2014095054.tif 000016
【図１５】
2014095054.tif 000017
【図１６】
2014095054.tif 000018
【図１７】
2014095054.tif 000019
【図１８】
2014095054.tif 000020
【図１９】
2014095054.tif 000021
【図２０】
2014095054.tif 000022
【図２１】
2014095054.tif 000023